(57)【特許請求の範囲】
【請求項１】
構造体の構面を構成する一対の略平行な骨組み部材に、前記構面の対角線上で前記骨組み部材の相対向する側と反対側に位置して配設される一対の台座部と、
これら台座部に軸方向の両端部が保持されて前記台座部間の距離が広がる方向への応力に対して引っ張り力を作用させる長手状のブレースと、を具備し、
前記台座部は、前記骨組み部材の径方向に沿って対向し、少なくとも前記構面の平面に沿った方向で前記骨組み部材を挾持して前記骨組み部材に取り付けられる一対の取付部材と、これら取付部材の両端部間に設けられ前記取付部材の間隙を狭める方向に付勢力を作用させる一対の連結部材とを備え、
前記ブレースは、前記骨組み部材における前記構面側と反対側の側面に位置する前記取付部材の一方に取り付けられた
ことを特徴とした補強装置。
【請求項２】
請求項１に記載の補強装置において、
前記一対の取付部材は、前記骨組み部材の構面に対して略垂直方向における幅寸法より長手状で長手方向の端部に前記ブレースが取り付けられる保持具と、前記骨組み部材の構面に対して略垂直方向における幅寸法より長手状で前記骨組み部材の径方向に沿って対向する位置に配設される取付具とを備え、
前記一対の連結部材は、長手状に形成され、長手方向の端部が前記保持具および前記取付具の長手方向の端部にそれぞれ取り付けられた
ことを特徴とした補強装置。
【請求項３】
構造体の構面を構成する一対の略平行な骨組み部材に、前記構面の対角線上で前記骨組み部材の相対向する側と反対側に位置して配設される一対の台座部と、
これら台座部に軸方向の両端部が保持されて前記台座部間の距離が広がる方向への応力に対して引っ張り力を作用させる長手状のブレースと、を具備し、
前記台座部は、前記骨組み部材の径方向に沿って対向し、少なくとも前記構面の平面に沿った方向で前記骨組み部材を挾持して前記骨組み部材に取り付けられる一対の取付部材と、これら取付部材の両端部間に設けられ前記取付部材の間隙を狭める方向に付勢力を作用させる一対の連結部材とを備え、
前記一対の取付部材は、前記骨組み部材における前記構面側と反対側の側面に位置して配設され、前記骨組み部材の構面に対して略垂直方向における幅寸法より長手状で長手方向の端部に前記ブレースが取り付けられる保持具と、前記骨組み部材の構面に対して略垂直方向における幅寸法より長手状で前記骨組み部材の径方向に沿って対向する位置に配設される取付具とを備え、
前記一対の連結部材は、長手状に形成され、長手方向の端部が前記保持具および前記取付具の長手方向の端部にそれぞれ取り付けられた
ことを特徴とした補強装置。
【請求項４】
請求項１ないし請求項３のいずれかに記載の補強装置において、
前記連結部材は、長手状に形成され、長手方向の一端に一方の取付部材に螺着する雄ねじを有し、長手方向の他端に他方の取付部材を貫通してナットが螺着される雄ねじを有した
ことを特徴とした補強装置。
【請求項５】
請求項１ないし４のいずれかに記載の補強装置において、
前記ブレースは、一対設けられ、
前記台座部は、前記構面に対して略垂直方向に沿った方向の位置で一対のブレースの端部を保持する
ことを特徴とした補強装置。
【請求項６】
請求項１ないし請求項５のいずれかに記載の補強装置において、
前記骨組み部材を周方向で緊締し前記骨組み部材に軸方向に対して交差する方向に圧縮力を作用させて取り付けられる補強部材を具備した
ことを特徴とした補強装置。
【請求項７】
請求項１ないし請求項６のいずれかに記載の補強装置において、
前記ブレースは、両端部に軸方向において張力が作用する状態に前記台座部に抜け止め保持される径大の鍔部と、一対の台座部間を狭める方向に付勢力を作用させる張設手段とを有した
ことを特徴とした補強装置。
【請求項８】
請求項７に記載の補強装置において、
前記ブレースの両端部に設けられた鍔部は、少なくともいずれか一方が螺合されたナットで、
前記張設手段は、前記ブレースの端部に設けられ前記ナットが螺合する雄ねじ部である
ことを特徴とした補強装置。
【請求項９】
請求項８に記載の補強装置において、
前記ナットは、前記台座部に抜け止めされる座面が球面凸状に形成され、
前記台座部は、前記ナットの球面凸状の座面が当接する球面凹状の抜け止め部を有した
ことを特徴とした補強装置。
【請求項１０】
請求項７に記載の補強装置において、
前記ブレースは、端部がそれぞれ台座部に保持される軸部材と、これら軸部材間に設けられた張設手段としてのターンバックルとを有した
ことを特徴とした補強装置。
【発明の詳細な説明】
【０００１】
【発明の属する技術分野】
本発明は、鉄筋コンクリート構造や鉄骨構造、木構造などの建築物、あるいは土木構造物などをブレースにより補強する補強装置に関する。
【０００２】
【背景技術】
従来、ビルや住宅などの建築構造物において、地震力や風圧力などによる建物の変形を防ぐための補強としてブレースを備えた補強装置がある。ブレースは、柱や梁などで構成された略長方形の構面の対角線に設けられた斜材である。この補強装置は、建築構造物に地震力や風圧力によって構面が変形しようとする外力が加わった場合、この構面の変形に対してブレースの引張応力および圧縮応力によって抵抗する。
【０００３】
この補強装置は、例えば木造家屋などの柱梁が軸組みされた在来構法の建築構造物に利用される場合、木製のブレースを直接柱や梁に釘打ちにより固定したり、柱や梁に取り付け固定した金具に金属棒状のブレースの両端部を引っ掛け、あるいはブレースの両端部をナット止めするなどして配設している。また、例えば鉄筋コンクリート構造の建築構造物に補強装置を利用する場合には、柱・梁を構成する鉄筋とともにブレースを同時に配筋してコンクリートを打設したり、コンクリートに埋設させたブレース取付用の金具にブレースを取り付けるなどにより補強装置を配設する。さらに、例えば鉄骨構造の建築構造物に補強装置を利用する場合には、柱や梁に直接溶接したブレース取付用の金具にブレースを取り付けるなどして補強装置を配設している。
【０００４】
【発明が解決しようとする課題】
しかしながら、上記従来の補強装置では、柱や梁にブレースに対して外部からの応力が伝達できるように、ブレース取付用の金具を柱や梁に取り付けたり、ブレースを取り付けるための孔を直接柱や梁に設けるなど、作業が煩雑となる問題がある。
【０００５】
本発明は、上記問題点に鑑みて、容易に配設可能な補強装置を提供することを目的とする。
【０００６】
【課題を解決するための手段】
上記目的を達成するため、本発明の補強構造は、次の構成を採用する。
【０００７】
請求項１に記載の補強装置は、構造体の構面を構成する一対の略平行な骨組み部材に、前記構面の対角線上で前記骨組み部材の相対向する側と反対側に位置して配設される一対の台座部と、これら台座部に軸方向の両端部が保持されて前記台座部間の距離が広がる方向への応力に対して引っ張り力を作用させる長手状のブレースと、を具備し、前記台座部は、前記骨組み部材の径方向に沿って対向し、少なくとも前記構面の平面に沿った方向で前記骨組み部材を挾持して前記骨組み部材に取り付けられる一対の取付部材と、これら取付部材の両端部間に設けられ前記取付部材の間隙を狭める方向に付勢力を作用させる一対の連結部材とを備え、前記ブレースは、前記骨組み部材における前記構面側と反対側の側面に位置する前記取付部材の一方に取り付けられたことを特徴とする。
【０００８】
この発明では、構造体の構面を構成する一対の略平行な骨組み部材に、構面の対角線上で骨組み部材の相対向する側と反対側に位置して一対の台座部を配設し、これら台座部に長手状のブレースの軸方向の両端部を保持させて、台座部間の距離が広がる方向への応力が生じる際にはブレースにて応力に対して引っ張り力を作用させる。このことにより、例えば地震力や風圧力などの外力により構造体に構面が変形するような負荷が掛かって台座部間の距離が広がる方向への応力が生じた際に、ブレースに引っ張り応力が作用するので、台座部がブレースにて引っ張られ外側から骨組み部材に押し付けられる力が作用して位置ずれすることがない。このため、台座部を強固に骨組み部材に取り付けるための構成が不要で、例えば骨組み部材が鉄筋コンクリートや鉄骨などの加工が困難な部材でも、台座部を接着するなどの仮止めする程度の簡単な構成で配設可能で、配設作業が向上する。さらには、ブレースを配設するために骨組み部材に釘打ちしたり孔を設けたり溶接するなどの加工を施す必要がなく、特別な技術を要することなく容易に配設される。
そして、骨組み部材を幅方向で挟持することにより台座部を骨組み部材に取り付ける。このことにより、ブレースに引っ張り力が作用しない場合でも、台座部が位置ずれすることなく骨組み部材の所定の位置に配設され、いずれの骨組み部材でも加工することなく容易に配設可能となる。
また、台座部を少なくとも構面の平面に沿った方向に骨組み部材を挾持する状態で取り付ける。このことにより、例えば地震力や風圧力などの外力により構造体に構面が変形するような負荷が掛かってブレースに引っ張り応力が作用しても、台座部を骨組み部材に押し付ける力が作用するので、台座部が位置ずれすることなく確実に骨組み部材に取り付けられる。さらに、骨組み部材に取り付けられた台座部にて引っ張り応力が効率よく吸収され、外力に対する耐久力が向上する。
また、取付部材間に骨組み部材を介在させて一対の連結部材を取付部材の両端部にそれぞれ設けることで、台座部を骨組み部材にこの骨組み部材を挾持する状態で取り付ける構成が、容易で簡単な構成でできる。
【０００９】
請求項２に記載の補強装置は、請求項１に記載の補強装置において、前記一対の取付部材は、前記骨組み部材の構面に対して略垂直方向における幅寸法より長手状で長手方向の端部に前記ブレースが取り付けられる保持具と、前記骨組み部材の構面に対して略垂直方向における幅寸法より長手状で前記骨組み部材の径方向に沿って対向する位置に配設される取付具とを備え、前記一対の連結部材は、長手状に形成され、長手方向の端部が前記保持具および前記取付具の長手方向の端部にそれぞれ取り付けられたことを特徴とする。
【００１０】
この発明では、簡単な構成で容易に、骨組み部材を挟持する状態に台座部を骨組み部材に取り付ける構成が得られ、製造性が向上するとともに、容易に配設できる。
【００１１】
請求項３に記載の補強装置は、構造体の構面を構成する一対の略平行な骨組み部材に、前記構面の対角線上で前記骨組み部材の相対向する側と反対側に位置して配設される一対の台座部と、これら台座部に軸方向の両端部が保持されて前記台座部間の距離が広がる方向への応力に対して引っ張り力を作用させる長手状のブレースと、を具備し、前記台座部は、前記骨組み部材の径方向に沿って対向し、少なくとも前記構面の平面に沿った方向で前記骨組み部材を挾持して前記骨組み部材に取り付けられる一対の取付部材と、これら取付部材の両端部間に設けられ前記取付部材の間隙を狭める方向に付勢力を作用させる一対の連結部材とを備え、前記一対の取付部材は、前記骨組み部材における前記構面側と反対側の側面に位置して配設され、前記骨組み部材の構面に対して略垂直方向における幅寸法より長手状で長手方向の端部に前記ブレースが取り付けられる保持具と、前記骨組み部材の構面に対して略垂直方向における幅寸法より長手状で前記骨組み部材の径方向に沿って対向する位置に配設される取付具とを備え、前記一対の連結部材は、長手状に形成され、長手方向の端部が前記保持具および前記取付具の長手方向の端部にそれぞれ取り付けられたことを特徴とする。
【００１２】
この発明では、構造体の構面を構成する一対の略平行な骨組み部材に、構面の対角線上で骨組み部材の相対向する側と反対側に位置して一対の台座部を配設し、これら台座部に長手状のブレースの軸方向の両端部を保持させて、台座部間の距離が広がる方向への応力が生じる際にはブレースにて応力に対して引っ張り力を作用させる。このことにより、例えば地震力や風圧力などの外力により構造体に構面が変形するような負荷が掛かって台座部間の距離が広がる方向への応力が生じた際に、ブレースに引っ張り応力が作用するので、台座部がブレースにて引っ張られ外側から骨組み部材に押し付けられる力が作用して位置ずれすることがない。このため、台座部を強固に骨組み部材に取り付けるための構成が不要で、例えば骨組み部材が鉄筋コンクリートや鉄骨などの加工が困難な部材でも、台座部を接着するなどの仮止めする程度の簡単な構成で配設可能で、配設作業が向上する。さらには、ブレースを配設するために骨組み部材に釘打ちしたり孔を設けたり溶接するなどの加工を施す必要がなく、特別な技術を要することなく容易に配設される。
そして、骨組み部材を幅方向で挟持することにより台座部を骨組み部材に取り付ける。このことにより、ブレースに引っ張り力が作用しない場合でも、台座部が位置ずれすることなく骨組み部材の所定の位置に配設され、いずれの骨組み部材でも加工することなく容易に配設可能となる。
また、台座部を少なくとも構面の平面に沿った方向に骨組み部材を挾持する状態で取り付ける。このことにより、例えば地震力や風圧力などの外力により構造体に構面が変形するような負荷が掛かってブレースに引っ張り応力が作用しても、台座部を骨組み部材に押し付ける力が作用するので、台座部が位置ずれすることなく確実に骨組み部材に取り付けられる。さらに、骨組み部材に取り付けられた台座部にて引っ張り応力が効率よく吸収され、外力に対する耐久力が向上する。
また、取付部材間に骨組み部材を介在させて一対の連結部材を取付部材の両端部にそれぞれ設けることで、台座部を骨組み部材にこの骨組み部材を挾持する状態で取り付ける構成が、容易で簡単な構成でできる。
さらに、簡単な構成で容易に、骨組み部材を挟持する状態に台座部を骨組み部材に取り付ける構成が得られ、製造性が向上するとともに、容易に配設できる。
そして、前記保持具は、前記骨組み部材における前記構面側と反対側の側面に位置して配設されたことを特徴とする。
このことにより、例えば地震力や風圧力などの外力により構造体に構面が変形するような負荷が掛かって台座部間の距離が広がる方向への応力が生じた際に、ブレースに引っ張り応力が作用して、台座部がブレースにて引っ張られ外側から骨組み部材に押し付けられる力を作用できる。
【００１３】
請求項４に記載の補強装置は、請求項１ないし請求項３のいずれかに記載の補強装置において、前記連結部材は、長手状に形成され、長手方向の一端に一方の取付部材に螺着する雄ねじを有し、長手方向の他端に他方の取付部材を貫通してナットが螺着される雄ねじを有したことを特徴とする。
【００１４】
この発明では、骨組み部材の構面に対して略垂直方向における幅寸法より長手状に一対の取付部材を形成し、長手状の連結部材の一端の雄ねじを一方の取付部材に螺着するとともに、他端の雄ねじを他方の取付部材を貫通させてナットを螺着することにより、取付部材の間隙を狭める方向に付勢力を作用させて、台座部を骨組み部材に取り付ける。このことにより、簡単な構成で容易に、骨組み部材を挟持する状態に台座部を骨組み部材に取り付ける構成が得られ、製造性が向上するとともに、容易に配設できる。
【００１５】
請求項５に記載の補強装置は、請求項１ないし４のいずれかに記載の補強装置において、前記ブレースは、一対設けられ、前記台座部は、前記構面に対して略垂直方向に沿った方向の位置で一対のブレースの端部を保持することを特徴とする。
【００１６】
この発明では、一対設けたブレースの端部を、台座部の構面に対して略垂直方向に沿った方向の位置で保持する。このことにより、一対のブレースにより、例えば地震力や風圧力などの外力によりブレースに掛かる引っ張り応力が低減して、より大きな外力に対する耐久力が得られるとともに、ブレースに掛かる引っ張り応力が台座部に略均等に加わる状態が得られ、台座部にてブレースに掛かる引っ張り応力が効率よく吸収され、外力に対する耐久力が向上する。
【００１７】
請求項６に記載の補強装置は、請求項１ないし請求項５のいずれかに記載の補強装置において、前記骨組み部材を周方向で緊締し前記骨組み部材に軸方向に対して交差する方向に圧縮力を作用させて取り付けられる補強部材を具備したことを特徴とする。
【００１８】
この発明では、骨組み部材は、取り付けられた圧縮補強部材により、周方向で緊締されて軸方向に対して交差する方向に圧縮力が作用される。このことにより、例えばブレースに引っ張り力が作用して台座部が骨組み部材に押し付けられることにより骨組み部材に負荷が係っても、常時圧縮力が作用しているので骨組み部材が圧搾や折損などの損傷を生じることを防止する。
【００１９】
請求項７に記載の補強装置は、請求項１ないし請求項６のいずれかに記載の補強装置において、前記ブレースは、両端部に軸方向において張力が作用する状態に前記台座部に抜け止め保持される径大の鍔部と、一対の台座部間を狭める方向に付勢力を作用させる張設手段とを有したことを特徴とする。
【００２０】
この発明では、ブレースの両端部に設けた径大の鍔部にて、軸方向において張力が作用する状態に台座部に抜け止め保持させ、ブレースに設けた張設手段にて一対の台座部間を狭める方向に付勢力を作用させる。このことにより、簡単な構造で、ブレースを軸方向が構面の対角線上に略沿って張力が作用する状態に配設する構成が容易に得られる。
【００２１】
請求項８に記載の補強装置は、請求項７に記載の補強装置において、前記ブレースの両端部に設けられた鍔部は、少なくともいずれか一方が螺合されたナットで、前記張設手段は、前記ブレースの端部に設けられ前記ナットが螺合する雄ねじ部であることを特徴とする。
【００２２】
この発明では、ブレースの両端部に設けた鍔部のうち、少なくともいずれか一方を、ブレースの端部に設けた雄ねじ部に螺合するナットとする。このことにより、ブレースを台座部に抜け止め保持する構成と、張力が作用する状態に台座部に保持する構成とが、雄ねじ部に螺合するナットの簡単な構成で得られ、製造性が向上するとともに、容易に配設可能となる。
【００２３】
請求項９に記載の補強装置は、請求項８に記載の補強装置において、前記ナットは、前記台座部に抜け止めされる座面が球面凸状に形成され、前記台座部は、前記ナットの球面凸状の座面が当接する球面凹状の抜け止め部を有したことを特徴とする。
【００２４】
この発明では、ナットの台座部に抜け止めされる座面を球面凸状に形成し、このナットの球面凸状の座面を台座部に設けた球面凹状の抜け止め部に当接させてブレースを抜け止め保持する。このことにより、ナットを螺着することにより、簡単な構造でブレースが台座部の所定の位置に確実に保持されるとともに、例えば寸法公差や台座部の骨組み部材への取付位置のずれなどにより、ブレースが構面の対角線上に対して傾いた状態となっても確実に台座部に抜け止め保持される。
【００２５】
請求項１０に記載の補強装置は、請求項７に記載の補強装置において、前記ブレースは、端部がそれぞれ台座部に保持される軸部材と、これら軸部材間に設けられた張設手段としてのターンバックルとを有したことを特徴とする。
【００２６】
この発明では、端部がそれぞれ台座部に保持される軸部材間にターンバックルを設けてブレースを構成する。このことにより、簡単な構成で、ブレースを軸方向で張力が作用する状態に配設することが容易となる。
【００２７】
【発明の実施の形態】
以下、本発明の補強装置の一実施の形態を図面に基づいて説明する。
【００２８】
〔補強装置の構成〕
図１ないし図５において、１は補強装置で、この補強装置１は、例えばビルや住宅などの柱２および梁３などの骨組み部材にて軸組みされる図示しない構造体としての建築構造物に用いられ、柱２および梁３などの骨組み部材にて構成される略長方形の構面４に２セット配設される。そして、補強装置１は、一対のブレース１０と、一対の台座部２０とを備えている。
【００２９】
そして、ブレース１０は、例えば鉄鋼製の細長丸棒状に形成されている。このブレース１０の長手方向の両端部には、図５に示すように、雄ねじ部１２が螺刻形成されている。この雄ねじ部１２には、この雄ねじ部１２に螺合することにより張設手段として機能する鍔部としてのナット１５が螺着される。このナット１５には、軸方向の雄ねじ部１２に螺着する側の端面である座面に球面凸状の球面凸部１６が設けられている。
【００３０】
一方、台座部２０は、図１ないし図５に示すように、取付部材としての保持具２１と、取付部材としての取付具２２と、連結部材としての一対の連結具２３とを備えている。そして、連結具２３は、例えば鋼鉄製の細長丸棒状に形成されている。この連結具２３は、長手方向の寸法が、例えば構面４に対して略平行となる骨組み部材である柱２の幅寸法より長く形成されている。さらに、連結具２３の両端部には、図５に示すように、雄ねじ２４が螺刻形成されている。
【００３１】
また、取付具２２は、図１ないし図５に示すように、例えば鋼鉄製の四角柱状に形成されている。この取付具２２は、軸方向である長手方向の寸法が、例えば構面４に対して垂直方向における柱２の幅寸法より長く形成されている。また、取付具２２の長手方向の両端部には、連結具２３を嵌挿可能な図示しない貫通孔が設けられている。
【００３２】
そして、保持具２１は、図１ないし図５に示すように、取付具２２とにて対をなし、例えば鋼鉄製の四角柱状に形成されている。この保持具２１は、軸方向である長手方向の寸法が、例えば構面４に対して垂直方向における骨組み部材である柱２の幅寸法より長く形成されている。そして、この保持具２１の長手方向の両端部には、図５に示すように、取付具２２の貫通孔に対応する位置に貫通孔を嵌挿した連結具２３の一端側の雄ねじ２４が螺合する取付雌ねじ２８が穿設されている。
【００３３】
また、保持具２１の軸方向の両端部には、取付雌ねじ２８が穿設された面から反対側の面に貫通する挿通孔２９が設けられている。この挿通孔２９は、取付雌ねじ２８が穿設された面を柱２の構面４側と反対側の側面に当接された状態で構面４の対角線にほぼ沿った方向に軸方向を有する略円筒状に形成されている。また、挿通孔２９は、ブレース１０を挿通可能でブレース１０に螺着されるナット１５を挿通不可能にブレース１０の径寸法より径大に形成されている。なお、挿通孔２９は、挿通孔２９にブレース１０が挿通された状態では、図５に示すように、挿通孔２９の内周面とブレース１０の外周面との間に隙間が生じる径寸法に形成されている。
【００３４】
さらに、挿通孔２９には、取付雌ねじ２８が穿設された面と反対側に、同軸上に略円筒形の取付孔３０が設けられている。この取付孔３０は、ブレース１０に螺着されたナット１５が挿通可能に挿通孔２９より径大に形成され、挿通孔２９との間に抜け止め部としての段差３１を形成している。そして、この段差３１は、図５に示すように、ブレース１０に螺着されるナット１５の球面凸部１６に対応して、略同曲率の球面凹状に形成されている。
【００３５】
そして、図１ないし図５に示すように、保持具２１と取付具２２とが構面４の平面に対して略平行な方向に柱２を介在させて対向する状態に位置する。この状態で、取付具２２の貫通孔を嵌挿した連結具２３の一端の雄ねじ２４が保持具２１の取付雌ねじ２８に螺着され、取付具２２から突出する連結具２３の他端の雄ねじ２４に取付ナット３３が螺着されている。このように、連結具２３は、少なくとも、柱２の幅寸法に加え、保持具２１に螺合する寸法および取付具２２から突出して取付ナット３３が螺着される寸法分の長手寸法以上に形成されている。そして、この取付ナット３３の螺着により、柱２を保持具２１および取付具２２にて挟む状態の台座部２０が構成され、柱２に台座部２０が配設されている。
【００３６】
また、ブレース１０は、両端部が構面４に対角線上に位置する台座部２０の保持具２１の挿通孔２９にそれぞれ挿通され、取付孔３０側からブレース１０の雄ねじ部１２にナット１５が螺合されて構面４に対角線上に配設され、補強装置１が構面４に配設される。
【００３７】
〔補強装置の組み付け動作〕
次に、上記一実施の形態の組み付け動作について図面を参照して説明する。
【００３８】
まず、建築構造物の柱２および梁３などの骨組み部材に、保持具２１の取付雌ねじ２８が設けられた側面を、骨組み部材としての柱２の梁３側に位置する状態、すなわち柱２の端部に構面４を構成する側と反対側となる外側の側面に当接させる。さらに、取付具２２を長手方向が保持具２１の長手方向と略平行となるように柱２を介在して対向する状態に位置させる。
【００３９】
そして、取付具２２の貫通孔に一対の連結具２３をそれぞれ嵌挿し、連結具の嵌挿した側の一端の雄ねじ２４を保持具２１の取付雌ねじ２８にそれぞれ螺着する。
【００４０】
なお、あらかじめ保持具２１の取付雌ねじ２８に連結具２３の雄ねじ２４を螺合して平面視でコ字状に一対の連結具２３を螺着した構成としておき、この保持具２１を連結具２３間に柱２が位置する状態で柱２の端部の側面に当接させる。そして、連結具２３をそれぞれ取付具２２の貫通孔に嵌挿しつつ取付具２２を保持具２１に対向する状態で柱２に当接させる手順とするなどしてもできる。
【００４１】
そして、取付具２２の貫通孔を貫通する連結具２３の取付具２２から突出する各雄ねじ２４にそれぞれナットである取付ナット３３を螺着し、柱２に保持具２１および取付具２２が挟み込む状態で台座部２０を配設する。このようにして、図に示すように、台座部２０を構面４を構成する一対の柱２の両端部にそれぞれ配置する。
【００４２】
この後、構面４の対角線上に位置する台座部２０の保持具２１の同一構面４側の挿通孔２９にブレース１０の端部をそれぞれ嵌挿する。そして、保持具２１の挿通孔２９から取付孔３０内に突出するブレース１０の雄ねじ部１２にナット１５を球面凸部１６側から螺着する。
【００４３】
このナット１５の螺着の際、保持具２１の球面凹状の段差３１にナット１５の球面凸部１６が面で当接する状態となる。また、挿通孔２９がブレース１０より径大で挿通孔２９の内周面とブレース１０の外周面との間に隙間が生じる状態となっている。このため、各部材や建築構造物の寸法公差あるいは台座部２０の取付位置などにより、ブレース１０の軸方向が保持具２１の挿通孔２９の軸方向に対して同一上に位置しない場合でも、多少ブレース１０が挿通孔２９に対して傾く状態となって、寸法公差を許容できる。
【００４４】
そして、ナット１５の螺着により、ブレース１０が挿通孔２９に対して傾く状態でも確実に締め付けでき、ブレース１０を所定の張力が作用する状態で配設され、補強装置１が構面４に配設される。このように、ブレース１０を構面４に対角線上に２本ずつ配設して、対角上に略交差するブレース１０にて構面４を挟む状態に補強装置１を２セット配設する。
【００４５】
一方、この補強装置１が配設された建築構造物に地震力や風圧力などにて構面４が変形するような外力が作用した場合、図５に示すように、ブレース１０に引っ張り応力である引っ張り荷重Ｔｙが掛かる。この引っ張り荷重Ｔｙにより、台座部２０には、保持具２１を柱２の側面に押し付ける水平力Ｐｈと、保持具２１を柱２の側面に沿って移動させる鉛直力Ｐｖとが作用することとなる。
【００４６】
ここで、Ｐｈ×μ≧Ｐｖであれば、台座部２０が柱２の側面に沿って移動して外れることはない。このように、保持具２１と柱２との摩擦力を加味して、Ｐｈ×μ≧Ｐｖとなるようにブレース１０を水平方向に対して交差する状態に配設すればよいことになる。
【００４７】
〔補強装置の効果〕
上述した本実施の形態によれば、以下に示す効果を奏する。
【００４８】
（１）補強装置１は、建築構造物の構面４を構成する一対の略平行な骨組み部材である柱２に、構面４の対角線上で柱２の相対向する側と反対側に位置、すなわち構面４を構成する側に対して外側の面に位置して一対の台座部２０を配設し、これら台座部２０に長手状のブレース１０の軸方向の両端部を保持させて、台座部２０間の距離が広がる方向への応力が生じる際にはブレース１０にて応力に対して引っ張り力を作用させる。このことにより、構面４を構成する一対の柱２の外側を掛け渡す状態に補強装置１が配設される状態となる。
【００４９】
このため、例えば地震力や風圧力などの外力により建築構造物に構面４が変形するような負荷が掛かって台座部２０間の距離が広がる方向への応力が生じた際に、ブレース１０に引っ張り応力が作用するので、台座部２０がブレース１０にて引っ張られ外側から柱２に押し付けられる力が作用して位置ずれすることを防止できる。したがって、台座部２０を溶接やアンカにて取り付けるなどの強固に柱２に取り付けるための構成が不要で、例えば柱２が鉄筋コンクリートや鉄骨などの加工が困難な部材でも、台座部２０を接着したり縛り付けるなどの仮止めする程度の簡単な構成で配設でき、配設作業を向上できる。
【００５０】
（２）補強装置１は、柱２や梁３などの骨組み部材の軸組にて構面４を形成する建築構造物の骨組み部材としての柱２に、柱２の幅方向で挾持する状態に構面４の対角線上に位置して一対の台座部２０を取り付け、これら台座部２０に長手状のブレース１０の両端部を保持させて、台座部２０間の距離が広がる方向への応力に対して引っ張り力を作用させる状態に、ブレース１０を構面４の対角線上に軸方向が略沿うように配設する。このため、ブレース１０を配設するために柱２や梁３などの骨組み部材に釘打ちしたり孔を設けたり溶接するなどの加工を施す必要がなく、特別な技術を要することなくナット１５および取付ナット３３を螺着するのみで容易に補強装置１を配設できる。そして、骨組み部材に加工を施すことがないので、骨組み部材が木造やコンクリート、鉄骨などの素材に係わらず補強装置１を同様に設けることができ、汎用性を向上できる。
【００５１】
（３）台座部２０を構面４の平面に沿った方向に柱２を挾持する状態で取り付ける。このため、例えば地震力や風圧力などの外力により建築構造物に構面４が変形するような負荷が掛かってブレース１０に引っ張り応力が作用しても、台座部２０の保持具２１を柱２に押し付ける力が作用するので、台座部２０が位置ずれすることなく確実に柱２に取り付けられた状態が得られる。さらに、例えば台座部２０を構面４に対して略垂直方向で柱２を挟持する状態に取り付ける場合に比して、台座部２０の保持具２１にて引っ張り応力を効率よく吸収でき、外力に対する建築構造物の耐久力を向上できる。
【００５２】
（４）一対設けたブレース１０の両端部を、台座部２０の構面４に対して略垂直方向に沿った方向の位置でそれぞれ保持する。このため、一対のブレース１０により、例えば地震力や風圧力などの外力によりブレース１０に掛かる引っ張り応力が低減して、より大きな外力に対する建築構造物の耐久力を向上できるとともに、ブレース１０に掛かる引っ張り応力が台座部２０に略均等に加わる状態が得られ、例えば台座部２０が柱２を中心として回転するようにずれを生じることなく、台座部２０にて一対のブレース１０に掛かる引っ張り応力を効率よく吸収でき、外力に対する建築構造物の耐久力を向上できる。
【００５３】
（５）ブレース１０の両端部に設けた径大のナット１５にて、軸方向において張力が作用する状態に台座部２０に抜け止め保持させ、ブレース１０の雄ねじ部１２にナット１５を螺合させる構成で一対の台座部２０間を狭める方向に付勢力を作用、すなわち張設する機能を付与させる。このため、簡単な構造で、ブレース１０を軸方向が構面４の対角線上に略沿って張力が作用する状態に配設する構成を容易に得ることができる。
【００５４】
（６）ブレース１０の両端部の雄ねじ部１２にナット１５を螺合させる構成とする。このため、ブレース１０を台座部２０に抜け止め保持する構成と、張力が作用する状態に台座部２０に保持する構成とが、雄ねじ部１２に螺合するナット１５の簡単な構成で得られ、製造性を向上できるとともに、容易に補強装置１を配設できる。
【００５５】
（７）ナット１５の台座部２０に抜け止めされる座面に球面凸状の球面凸部１６を設け、このナット１５の球面凸部１６を台座部２０に設けた球面凹状の段差３１に当接させてブレース１０を抜け止め保持する。このため、ナット１５を螺着することにより、簡単な構造でブレース１０が台座部２０の所定の位置、すなわち段差３１の略中心を通る位置に確実に保持できるとともに、例えば寸法公差や台座部２０の柱２への取付位置のずれなどにより、径大に形成した挿通孔２９内で傾いてブレース１０が構面４の対角線上に対して傾いた状態となっても確実に台座部２０に抜け止め保持できる。
【００５６】
（８）台座部２０に挿通孔２９およびこの挿通孔２９より径大の取付孔３０にてブレース１０を抜け止め保持する構成としたため、簡単な構成でブレース１０を張力が作用する状態に保持、すなわち抜け止め保持できるとともに、台座部２０を容易に形成でき、製造性を向上できる。
【００５７】
（９）挿通孔２９をブレース１０より径大に形成して挿通孔２９の内周面とブレース１０の外周面との間に隙間が生じるように形成する。このため、寸法公差や台座部２０の取付位置がずれたとしてもブレース１０が折れ曲がることなく配設できる。
【００５８】
（１０）柱２の径方向に沿って対向する対をなす保持具２１および取付具２２の両端部に、これら保持具２１および取付具２２の対向方向の間隙を狭める方向に付勢力を作用させる、すなわち互いに対向方向に近づけるようにして柱２を挾持する方向に一対の連結具２３を設けて台座部２０を構成する。このため、保持具２１および取付具２２間に柱２を介在させて一対の連結具２３を保持具２１および取付具２２の両端部にそれぞれ設けることで、台座部２０を柱２にこの柱２を挾持する状態で取り付ける構成が、容易で簡単な構成ででき、容易に補強装置１を形成できる。
【００５９】
（１１）柱２の構面４に対して略垂直方向における幅寸法より長手状に対をなす保持具２１および取付具２２を形成し、長手状の連結具２３の一端の雄ねじ２４を一方の保持具２１の取付雌ねじ２８に螺着するとともに、他端の雄ねじ２４を他方の取付具２２の貫通孔を貫通させて取付ナット３３を螺着することにより、保持具２１および取付具２２の間隙を狭める方向に付勢力を作用させて柱２を挟持する状態に台座部２０を柱２に取り付ける。このため、簡単な構成で容易に、柱２を挟持する状態に台座部２０を柱２に取り付ける構成が得られ、製造性を向上できるとともに、容易に補強装置１を配設できる。
【００６０】
〔他の実施の形態〕
なお、本発明は前記実施形態に限定されるものではなく、本発明の目的を達成できる範囲での変形、改良等は本発明に含まれるものである。
【００６１】
本発明は、構造体として建築構造物に用いて説明したが、例えば建築構造物を構築するための基礎に利用したり、基礎を形成するための補強に用いるなど、いずれの構造体にも利用できる。
【００６２】
また、ブレース１０を配設するための台座部２０として、柱２を挟持する状態に配設する構成について説明したが、柱２に取り付けるための構成がなく、単に張設したブレース１０の引っ張り力や仮止めなどの別構成を設けるなどして、構面４を構成する一対の柱２の外側を掛け渡す状態に補強装置１を配設してもできる。
【００６３】
例えば、台座部２０として保持具２１のように四角柱状とし、柱２の相対向する側となる構面４側と反対側である外側に位置させる。この際、例えば接着剤や粘着剤にて貼り付けたり、紐やワイヤなどの紐状部材にて縛り付けたりして柱２の端部に仮止めしておくとよい。この状態で、細長板状に形成したブレース１０の両端部に設けたねじ孔を台座部２０の端部に位置合わせし、ねじ孔を通して台座部２０にボルト止めして配設してもよい。なお、仮止めしなくてもよいが、仮止めすることにより、ブレース１０の配設の際に、台座部２０を柱２の端部に位置させておく作業が不要となり、作業性が向上するため好ましい。
【００６４】
そして、図１ないし図５に示す実施の形態では、張設手段としてブレース１０の端部の雄ねじ部１２にナット１５を締め付けて張力が作用する状態にブレース１０を配設して説明したが、例えば、図６に示すように、ナット１５は一方のみとして、他方はブレース１０に一体に鍔状に六角柱状の頭部４０を設けてボルト形状のブレース４１として形成してもできる。
【００６５】
また、例えば、図７に示すように、ブレース１０を、一端に頭部４０を一体的に設け他端に雄ねじ部１２を有したボルト形状の一対の軸部材４５間に、雄ねじ部１２にそれぞれ螺合する図示しない雌ねじを有したターンバックル４７を設けてブレース５０を構成し、ターンバックル４７を回転させることによりブレース５０を張力が作用する状態に配設する構成としてもできる。
【００６６】
そして、補強装置１として、保持具２１の両端部に２本のブレース１０をそれぞれ保持する構成としたが、例えば保持具２１の一方の端部のみにブレース１０を保持する構成としてもできる。
【００６７】
また、この構成を利用して、構面４を間に挟む状態で対角線上に交差する状態で２セット配設したり、構面４に対して１セットのみとして、隣接する構面４には、ブレース１０が同方向とならないように配設するなどしてもよい。
【００６８】
さらに、台座部２０として、四角柱状の保持具２１および取付具２２を用いたが、例えば骨組み部材が円柱状などの場合には、保持具２１および取付具２２を円弧状に形成して円柱状の骨組み部材を挾持する構成とするなど、取り付ける骨組み部材に対応していずれの形状としてもできる。そしてさらに、上述したように、取付具２２や連結具２３を設けず、ブレース１０の引っ張り力で保持具２１を柱２に配設したり、貼り付けや縛り付けなどの別の構成にて配設するなどしてもできる。
【００６９】
また、保持具２１にブレース１０を保持したが、例えば取付具２２や連結具２３にブレースを保持させてもできる。
【００７０】
その他、本発明の実施の際の具体的な構造および手順は、本発明の目的を達成できる範囲で他の構造等としてもよい。
【００７１】
【発明の効果】
本発明の補強装置によれば、構面の対角線上で一対の平行な骨組み部材の相対向する側と反対側に位置して配設した一対の台座部に、長手状のブレースの軸方向の両端部を保持させ、台座部間の距離が広がる方向への応力が生じる際にブレースに引っ張り力を作用させるため、台座部がブレースにて引っ張られ外側から骨組み部材に押し付けられる力が作用して位置ずれすることがないので、台座部を強固に骨組み部材に取り付けるための構成が不要で、簡単な構成で配設でき、配設作業を向上できる。
【図面の簡単な説明】
【図１】  本発明の一実施の形態における建築構造物の構面に補強装置を配設した状態を示す正面図である。
【図２】  前記平面断面図である。
【図３】  前記台座部の保持具近傍を示す一部を切り欠いた側面図である。
【図４】  前記台座部の取付具近傍を示す一部を切り欠いた側面図である。
【図５】  前記台座部近傍を示す一部を切り欠いた正面図である。
【図６】  本発明の他の実施の形態における建築構造物の構面に配設した補強装置の台座部近傍を示す一部を切り欠いた正面図である。
【図７】  本発明のさらに他の実施の形態における建築構造物の構面に補強装置を配設した状態を示す正面図である。
【符号の説明】
１    補強装置
２    骨組み部材としての柱
３    骨組み部材としての梁
４    構面
１０，４１，５０    ブレース
１２    張設手段を構成する雄ねじ部
１５    張設手段を構成する鍔部としてのナット
１６    球面凸部
２０    台座部
２１    取付部材としての保持具
２２    取付部材としての取付具
２３    連結部材としての連結具
２４    雄ねじ
３１    抜け止め部としての段差
３３    ナットである取付ナット
４５    軸部材
４７    ターンバックル
【図１】
0003934380.tif 000002
【図２】
0003934380.tif 000003
【図３】
0003934380.tif 000004
【図４】
0003934380.tif 000005
【図５】
0003934380.tif 000006
【図６】
0003934380.tif 000007
【図７】
0003934380.tif 000008